(57)【要約】【課題】トイレキャビネットの収容空間の使いやすさを向上し、トイレキャビネット、ひいてはトイレ室全体の意匠選択の自由度を向上する。【解決手段】便器本体後方のトイレ室の後壁に沿って設置され、前記便器本体の後部に載置される洗浄水供給手段を収容するトイレキャビネットであって、前記洗浄水供給手段の左右少なくとも一方に配設される側面板と、前記トイレキャビネット内において、前記側面板と前記トイレ室の側壁との間に形成される収納空間を前方から開閉自在に設けた扉と、を備え、前記側面板は、当該側面板の主面よりも前記洗浄水供給手段側へオフセットした取付面を有し、前記扉と前記側面板の間の回動軸を構成するヒンジは、前記取付面に対して取り付けられていることを特徴とするトイレキャビネット。【選択図】図７
2016189887.tif 000002
【特許請求の範囲】
【請求項１】
便器本体後方のトイレ室の後壁に沿って設置され、前記便器本体の後部に載置される洗浄水供給手段を収容するトイレキャビネットであって、
前記の左右少なくとも一方に配設される側面板と、
前記トイレキャビネット内において、前記側面板と前記トイレ室の側壁との間に形成される収納空間を前方から開閉自在に設けた扉と、
を備え、
前記側面板は、当該側面板の主面よりも前記洗浄水供給手段側へオフセットした取付面を有し、
前記扉と前記側面板の間の回動軸を構成するヒンジは、前記取付面に対して取り付けられている
ことを特徴とするトイレキャビネット。
【請求項２】
前記扉が閉じた状態において、前記回動軸寄りの前記扉の端部は、前記側面板の主面よりも前記洗浄水供給手段寄りに位置し、
前記扉が開いた状態において、前記扉の内面の前記回動軸寄りの端部は、前記側面板の主面よりも前記洗浄水供給手段寄りに位置する
ことを特徴とする請求項１に記載のトイレキャビネット。
【請求項３】
前記ヒンジは、前記取付面に対する前記扉の開き角度を所定角以下に規制するストッパーを有し、
前記取付面は、前記トイレ室の後方から前方に向かうにつれて徐々に前記洗浄水供給手段から遠ざかるように傾斜している
ことを特徴とする請求項１又は請求項２に記載のトイレキャビネット。
【請求項４】
前記扉の開閉動作を緩和させるダンパーが、前記側面板と前記扉の間に設けられた
ことを特徴とする請求項１〜請求項３の何れか１項に記載のトイレキャビネット。
【請求項５】
前記側面板は、金属の塑性変形を利用して形成された板金によって構成される
ことを特徴とする請求項１〜請求項４のいずれか１項に記載のトイレキャビネット。
【発明の詳細な説明】
【技術分野】
【０００１】
本発明は、トイレキャビネットに関する。
【背景技術】
【０００２】
従来、トイレ装置の後方にトイレ室の後側壁に沿ってトイレキャビネットを設置する技術がある。このようなトイレキャビネットは、トイレ装置の便器本体の後部上面に載置される洗浄水タンクを覆うように設けられる場合が多く、洗浄水タンクを隠蔽してトイレ室の外観上の見栄えを向上することができる。
【０００３】
しかしながら、このようなトイレキャビネットは、洗浄水タンクを覆う部分と洗浄水タンクの左右側方に収納空間を形成するためのボックス状の部分とを予めボックス状に一体化した状態で出荷されるものが多く、出荷から施工現場に到着するまでの間に多くのスペースを要する。また、嵩張るため、取扱いにくく搬送しにくいという問題もあった。このような問題に対処すべく、特許文献１には、構成部材を独立して単体で取り扱うことが可能なトイレキャビネットについて開示されている。
【０００４】
特許文献１に記載のトイレキャビネットは、トイレ装置の便器本体の後部上面に載置される洗浄水タンクの左側面に沿って配置された左側面板と、同洗浄水タンクの右側面に沿って配置された右側面板と、左側面板とトイレ室の左壁面との間の空間を開閉する左扉と、右側面板とトイレ室の右壁面との間の空間を開閉する右扉と、を有し、左扉の開閉の回動軸は左側面板に取り付けられ、右扉の開閉の回動軸は右側面板に取り付けられている。
【０００５】
この特許文献１に記載の技術によれば、トイレキャビネットの構成部材を独立して単体で取り扱うことができ、出荷から施工現場に到着するまでの間に要するスペースが削減され、取扱いやすく、搬送しやすくなる。また、トイレ室の左右壁面との隙間を無くすための寸法調整も可能となる。
【先行技術文献】
【特許文献】
【０００６】
【特許文献１】特開２００３−３２８４２１号公報
【発明の概要】
【発明が解決しようとする課題】
【０００７】
しかしながら、上述した特許文献１に係るトイレキャビネットでは、左側面板と右側面板の間に洗浄水タンクを前方から覆う前面板が設けられており、この前面板は、その左端が左側面板と当接する位置まで延びており、その右端が右側面板と当接する位置まで延びている。また、左扉の回動軸を左側面板の洗浄水タンクに面しない側（左収納空間がある側）に取り付け、右扉の回動軸を右側面板の洗浄水タンクに面しない側（右収納空間がある側）に取り付けてある。
【０００８】
このため、扉の回動軸が左収納空間と右収納空間にそれぞれ突出することとなり、収納空間を狭めるとともに、左収納空間や右収納空間へ出し入れする物と回動軸とが干渉しやすくなっていた。これにより、収納空間の使いやすさを損ねる結果となっていた。また、前面板と右扉との境界及び前面板と左扉との境界が洗浄水タンクの左右側方にそれぞれ配置される左側面板と右側面板の位置に規よって制限されていたため、前面板と右扉や左扉との境界位置に関わるトイレキャビネットの意匠選択の自由度が制限されていた。
【０００９】
本発明は、前記課題に鑑みてなされたもので、トイレキャビネットの収容空間の有効利用性を向上し、トイレキャビネット、ひいてはトイレ室全体の意匠選択の自由度を向上することを目的とする。
【課題を解決するための手段】
【００１０】
本発明の態様の１つは、便器本体後方のトイレ室の後壁に沿って設置され、前記便器本体の後部に載置される洗浄水タンクを収容するトイレキャビネットであって、前記洗浄水供給手段の左右少なくとも一方に配設される側面板と、前記トイレキャビネット内において、前記側面板と前記トイレ室の側壁との間に形成される収納空間を前方から開閉自在に設けた扉と、を備え、前記側面板は、当該側面板の主面よりも前記洗浄水供給手段側へオフセットした取付面を有し、前記扉と前記側面板の間の回動軸を構成するヒンジは、前記取付面に対して取り付けられていることを特徴とするトイレキャビネットである。
【００１１】
このように構成したトイレキャビネットにおいては、ヒンジが取り付けられる取付面が側面板の主面よりも前記洗浄水供給手段側へオフセットしているため、ヒンジが収納空間へ突出する突出量を低減又は突出しないようにすることができる。これにより、ヒンジが突出しない分、収納空間の有効に利用できる空間が拡大するとともに、収納空間への物の出し入れ時にヒンジと物が干渉しにくく、トイレキャビネットの利便性が向上する。また、ヒンジの取付面のオフセット量を適宜に調整することにより、扉と中央パネルとの境界を自由に選択できるため、トイレキャビネットの意匠選択の自由度が向上する。
【００１２】
本発明の選択的な態様の１つは、前記扉が閉じた状態において、前記回動軸寄りの前記扉の端部は、前記側面板の主面よりも前記洗浄水供給手段寄りに位置し、前記扉が開いた状態において、前記扉の内面の前記回動軸寄りの端部は、前記側面板の主面よりも前記洗浄水供給手段寄りに位置することを特徴とするトイレキャビネットである。
【００１３】
このように構成したトイレキャビネットにおいては、扉が収納空間の前面開口を遮蔽しないため、収納空間の有効に利用できる空間が拡大するとともに、収納空間への物の出し入れ時に扉と物が干渉しにくく、トイレキャビネットの利便性が向上する。
【００１４】
本発明の選択的な態様の１つは、前記ヒンジは、前記取付面に対する前記扉の開き角度を所定角以下に規制するストッパーを有し、前記取付面は、前記トイレ室の後方から前方に向かうにつれて徐々に前記洗浄水供給手段から遠ざかるように傾斜していることを特徴とするトイレキャビネットである。
【００１５】
このように構成したトイレキャビネットにおいては、扉の開く最大角度を、取付面に対するヒンジの最大開き角度と取付面の傾斜角度の少なくとも２つのパラメータの調整で規制可能であり、ヒンジ位置を左右方向において側面板よりも便器寄りの位置に設けてヒンジ位置と便器位置を前後重複する位置関係としたとしても、取付面に対する扉の最大開き角度と取付面の傾斜角度とを適宜に設定することで、便器と扉とが衝突しない構造を容易に実現することができる。
【００１６】
本発明の選択的な態様の１つは、前記扉の開閉動作を緩和させるダンパーが、前記側面板と前記扉の間に設けられたことを特徴とするトイレキャビネットである。
【００１７】
このように構成したトイレキャビネットにおいては、扉が勢いよく閉まるのを防止できる。なお、このダンパーは、ヒンジに内蔵してもよいし、ヒンジとは別途に設けてもよく、ヒンジとダンパーを別部材で構成した場合、ヒンジのサイズを拡大することなくダンパーを設けることができる。
【００１８】
本発明の選択的な態様の１つは、前記側面板は、金属の塑性変形を利用して形成された板金によって構成されることを特徴とするトイレキャビネットである。
【００１９】
このように構成したトイレキャビネットにおいては、側面板の前端に、洗浄水供給手段の前面側に回り込む部分を金属の折り曲げによって容易に形成できる。すなわち、扉を開けたときに洗浄水供給手段を見えにくくする目隠し部を、側面板の前端に容易に設けることができる。これにより、扉のヒンジを側面板の主面よりも洗浄水供給手段側へシフトさせた場合に、開いた扉と側面板の隙間から洗浄水供給手段が露見しにくく、トイレキャビネットの意匠性の低下を防止し、ヒンジを設ける位置の自由度の低下を防止できる。
【００２０】
以上説明したトイレキャビネットは、他の機器に組み込まれた状態で実施されたり他の方法とともに実施されたりする等の各種の態様を含む。また、本発明は、トイレキャビネットを備えるトイレシステムとしても実現可能である。
【発明の効果】
【００２１】
本発明によれば、ヒンジが取り付けられる取付面が側面板の主面よりも前記洗浄水供給手段側へオフセットしているため、ヒンジが収納空間へ突出する突出量を低減又は突出しないようにすることができる。これにより、ヒンジが突出しない分、収納空間の有効に利用できる空間が拡大するとともに、収納空間への物の出し入れ時にヒンジと物が干渉しにくく、トイレキャビネットの利便性が向上する。また、ヒンジの取付面のオフセット量を適宜に調整することにより、扉と中央パネルとの境界を自由に選択できるため、トイレキャビネットの意匠選択の自由度が向上する。
【００２２】
請求項２に係るトイレキャビネットによれば、扉が収納空間の前面開口を遮蔽しないため、収納空間の有効に利用できる空間が拡大するとともに、収納空間への物の出し入れ時に扉と物が干渉しにくく、トイレキャビネットの利便性が向上する。
【００２３】
請求項３に係るトイレキャビネットによれば、扉の開く最大角度を、取付面に対するヒンジの最大開き角度と取付面の傾斜角度の少なくとも２つのパラメータの調整で規制可能であり、ヒンジ位置を左右方向において側面板よりも便器寄りの位置に設けてヒンジ位置と便器位置を前後重複する位置関係としたとしても、取付面に対する扉の最大開き角度と取付面の傾斜角度とを適宜に設定することで、便器と扉とが衝突しない構造を容易に実現することができる。
【００２４】
請求項４に係るトイレキャビネットによれば、扉が勢いよく閉まるのを防止できる。なお、このダンパーは、ヒンジに内蔵してもよいし、ヒンジとは別途に設けてもよく、ヒンジとダンパーを別部材で構成した場合、ヒンジのサイズを拡大することなくダンパーを設けることができる。
【００２５】
請求項５に係るトイレキャビネットによれば、側面板の前端に、洗浄水供給手段の前面側に回り込む部分を金属の折り曲げ形成によって容易に形成できる。すなわち、扉を開けたときに洗浄水供給手段を見えにくくする目隠し部を、側面板の前端に容易に設けることができる。これにより、扉のヒンジを側面板の主面よりも洗浄水供給手段側へシフトさせた場合に、開いた扉と側面板の隙間から洗浄水供給手段が露見しにくく、トイレキャビネットの意匠性の低下を防止し、ヒンジを設ける位置の自由度の低下を防止できる。   
【図面の簡単な説明】
【００２６】
【図１】トイレキャビネットを設置したトイレ室の一例を説明する図である。
【図２】トイレキャビネットを設置したトイレ室の一例を説明する図である。
【図３】トイレキャビネットを設置したトイレ室の一例を説明する図である。
【図４】トイレキャビネットを設置したトイレ室の一例を説明する図である。
【図５】右扉パネルの固定状態を示す斜視図である。
【図６】右扉パネルのヒンジ部分を拡大して示した斜視図である。
【図７】右扉パネルのヒンジ部分を水平方向に切断して示した図である。
【図８】右扉パネルのヒンジ固定構造の他の例を示す図である。
【図９】左右の目地材の近辺を模式的に示す図である。
【図１０】トイレキャビネットを設置したトイレ室の一例を示す正面図である。
【発明を実施するための形態】
【００２７】
以下、図面を参照しつつ、本発明の一実施形態について説明する。
【００２８】
図１〜図４はトイレキャビネットを設置したトイレ室の一例を説明する図である。図２〜図４にはトイレキャビネットを設置したトイレ室から段階的に部材を取り除いた状態を示してある。図５は右扉パネルの固定状態を示す斜視図、図６は右扉パネルのヒンジ部分を拡大して示した斜視図、図７は右扉パネルのヒンジ部分を水平方向に切断して示した図、図８は右扉パネルのヒンジ固定構造の他の例を示す図、図９は左右の目地材の近辺を模式的に示す図、図１０はトイレキャビネットを設置したトイレ室の一例を示す正面図である。
【００２９】
トイレキャビネット１は、トイレ室ＴＲのトイレ装置２の後方において後側壁ＢＷに沿って設置されている。本明細書に添付する図面には、トイレキャビネット１の左端がトイレ室ＴＲの左側壁ＬＷに突き当て状に設けられ、トイレキャビネット１の右端がトイレ室ＴＲの右側壁ＲＷに突き当て状に設けられた状態を示してある。
【００３０】
トイレ装置２は、洋式腰掛便器２０（以下、単に便器２０とする）と、便器２０の上に一体的に固定された便座装置２１と、便器２０の後部に載置された洗浄水タンク２２と、を有する。なお、本実施形態では、便器２０へ洗浄水を供給する洗浄水供給手段として洗浄水タンク２２を例にとり説明を行うが、これに限るものではなく、例えば、洗浄水供給手段は水道からの水を供給するバルブユニット等であってもよい。
【００３１】
便器２０は、ボウル部２０１を有する。ボウル部２０１は、便器２０の上部に設けられる。ボウル部２０１は、便器２０の上面２０ａから下方へ凹んだ凹状に形成されている。ボウル部２０１は、使用者が排泄した汚物や尿などを受ける。また、ボウル部２０１の内部には水が貯留されており、便器２０に接続された排水管から悪臭や害虫類などが室内へ逆流することを防止する。
【００３２】
便座装置２１は、ケーシング２１１、便座２１２、及び、便蓋２１３を有する。便座２１２と便蓋２１３は、ケーシング２１１に対して軸支されている。便座２１２は、ボウル部２０１の上縁に沿って配置された閉状態と、ボウル部２０１の上縁に対して略垂直に配置された開状態との間で、ケーシング２１１に対する軸を回転の中心として回動自在になっている。同様に、便蓋２１３も、ボウル部２０１の上縁に沿って便座２１２の上に配置された閉状態と、ボウル部２０１の上縁に対して略垂直に配置された開状態との間で、ケーシング２１１に対する軸を回転の中心として回動自在になっている。なお、便蓋２１３は必ずしも設けなくともよい。
【００３３】
図１、図２に示すように、トイレ装置２の便座装置２１より後方であってトイレ装置２の洗浄水タンク２２よりも前方に、トイレキャビネット１の前面中央部分の外観を構成する中央前面板１１が設けられる。これにより、中央前面板１１が便座装置２１と洗浄水タンク２２の間を仕切る形となり、便座装置２１はトイレキャビネット１の外に露出し、洗浄水タンク２２はトイレキャビネット１内に隠蔽収納される。
【００３４】
トイレキャビネット１内には、洗浄水タンク２２をトイレ室ＴＲの床Ｆに対して支持するコアキャビネット３が設けられる。コアキャビネット３は、洗浄水タンク２２を左方から覆う左側面板３１と、洗浄水タンク２２を右方から覆う右側面板３２と、洗浄水タンク２２を床Ｆに対して支持する枠部３３と、を有する。
【００３５】
コアキャビネット３の前面には、中央前面板１１が洗浄水タンク２２を前方から覆うように固定されている。これら左側面板３１、右側面板３２及び中央前面板１１は、洗浄水供給手段としての洗浄水タンク２２の左方、右方及び前方を遮蔽することになり、全体として洗浄水タンク２２の前方及び左右側方をカバーする。
【００３６】
トイレキャビネット１の前面の中央前面板１１の左右両側には、左扉パネル１２、右扉パネル１３がそれぞれ設けられる。左扉パネル１２は、トイレキャビネット１の左収納空間ＬＳの前面開口を開閉自在に設けられ、右扉パネル１３は、トイレキャビネット１の右収納空間ＲＳの前面開口を開閉自在に設けられる。中央前面板１１と左扉パネル１２と右扉パネル１３は、その前面が略同一平面上に位置するように設けられる。これにより、トイレキャビネット１の前面の外観に一体性が生じ、トイレ室ＴＲ後方の外観が向上する。
【００３７】
左扉パネル１２とトイレ室ＴＲの左側壁ＬＷとの間には、一定の隙間ＬＲを有し、右扉パネル１３とトイレ室ＴＲの右側壁ＲＷとの間にも一定の隙間ＲＲを有する。隙間ＬＲの奥方の左収納空間ＬＳは左目地材１４により遮蔽され、隙間ＲＲの奥方の右収納空間ＲＳは右目地材１５により遮蔽される。左目地材１４と右目地材１５は、弾性を有する可撓性部材にて形成される。
【００３８】
左目地材１４は、左扉パネル１２の後方に位置するように設けてあり、右目地材１５は、右扉パネル１３の後方に位置するように設けてある。そして、左扉パネル１２及び右扉パネル１３は、トイレキャビネット１の前方に開閉軌道を有する外開き方式であり、左扉パネル１２の開閉の軸３６，３７及び右扉パネル１３の開閉の軸３８，３９は、トイレ室ＴＲの側壁に近い側以外の端部に設けられる。本実施形態においては、左扉パネル１２の開閉の軸３６，３７は左扉パネル１２の右端（洗浄水タンク２２寄りの端部）寄りに設けられており、右扉パネル１３の開閉の軸３８，３９は右扉パネル１３の左端（洗浄水タンク２２寄りの端部）寄りに設けられている。このため、左扉パネル１２の開閉時に左扉パネル１２と左目地材１４が干渉せず、右扉パネル１３の開閉時に右扉パネル１３と右目地材１５が干渉せずに済む。また、左目地材１４及び右目地材１５並びに左扉パネル１２及び右扉パネル１３の施工が容易になる。
【００３９】
コアキャビネット３の右前角部３５には、軸３８を構成するヒンジ３８１及び軸３９を構成するヒンジ３９１を介して右扉パネル１３が取り付けられている。これにより、右扉パネル１３はヒンジ３８１，３９１を回動軸としてトイレキャビネット１の右収納空間ＲＳの前面開口を開閉自在となる。なお、コアキャビネット３の左前角部３４にも、右扉パネル１３と同様に、軸３６を構成するヒンジ及び軸３７を構成するヒンジを介して左扉パネル１２が取り付けられており、左扉パネル１２もヒンジを回動軸としてトイレキャビネット１の左収納空間ＬＳの前面開口を開閉自在となる。
【００４０】
以下、扉パネルの回動軸としてのヒンジについて、右扉パネル１３のヒンジ３８１を例にとり説明を行う。なお、ヒンジ３９１はヒンジ３８１と同様の構造であり、左扉パネル１２のヒンジも右扉パネル１３のヒンジ３８１，３９１と同様の構造を有する。
【００４１】
ヒンジ３８１は、コアキャビネット３の右前角部３５に設けられた凹部３５１中の取付面３５２に取り付け固定されている。取付面３５２は、凹部３５１内において、コアキャビネット３の右側面板３２の主面から左方向（洗浄水タンク２２に近づく方向）に一定量だけオフセットした位置に設けられている。取付面３５２は、後方から前方に向かって洗浄水タンク２２から遠ざかる方向に傾斜している。ヒンジ３８１は、回動軸を挟んで一方の固定面３８１ａが取付面３５２に固定され、他方の固定面３８１ｂが右扉パネル１３の内面に固定される。
【００４２】
このように右側面板３２からオフセットした取付面３５２にヒンジ３８１を取り付け固定することにより、右収納空間ＲＳにヒンジ３８１が突出せず、又はヒンジ３８１の突出量を少なくできる。従って、右収納空間ＲＳの利用可能な容積がヒンジ３８１によって圧迫されず、しかも、ヒンジ３８１の出っ張りが右収容空間ＲＳに形成されないため右収納空間ＲＳの使用時の不便が解消される。
【００４３】
本実施形態で使用しているヒンジ３８１は、開き角度に応じて回動軸の水平方向の位置がオフセット移動する、軸位置変動型のヒンジの構成としてある。
【００４４】
具体的には、右扉パネル１３を閉じた閉止状態から徐々に開いていくと、開き角が一定角度に到達するまでに、閉止状態における水平方向の軸位置Ｐ１から、中央前面板１１から遠ざかる方向に一定距離だけ離間した軸位置Ｐ２までシフトする。また、右扉パネル１３を開いた状態から徐々に閉じていくと、開き角が一定角度に到達してから閉止状態になるまでに、軸位置Ｐ２から、中央前面板１１に近づく方向に一定距離だけ離間した軸位置Ｐ１までシフトする。
【００４５】
すなわち、右扉パネル１３は、扉を開く際は、中央前面板１１から遠ざかる方向（右方向）に扉全体がシフトしつつ、ヒンジ３８１の回動軸を中心として扉が開く方向に回動する。一方、扉を閉める際は、扉が有る程度まで閉じた段階以降、中央前面板１１に近づく方向（右方向）に扉全体がシフトする。
【００４６】
これにより、中央前面板１１と右扉パネル１３の中央前面板１１側の端部とが干渉しにくく、右扉パネル１３と中央前面板１１の間の隙間を非常に狭くすることが可能となる。この結果、中央前面板１１と右扉パネル１３との一体感が向上し、トイレキャビネット１の前面の意匠性を向上させることができる。また、このようなヒンジ３８１を採用することにより、右扉パネル１３を開いた時に右収納空間ＲＳの前面開口を広く確保できる。
【００４７】
図７に示すように、右扉パネル１３が閉じた状態において、軸３８を構成するヒンジ３８１側の右扉パネル１３の端部１３２（図７の破線Ａで示す位置）は、右側面板３２の主面（図７の破線Ｃで示す位置）よりも左方（洗浄水タンク２２寄りの位置）にあり、右扉パネル１３が開いた状態において、右扉パネル１３の内面の軸３８寄りの端部１３３（図７の破線Ｂで示す位置）は、右側面板３２の主面よりも左方（洗浄水タンク２２寄りの位置）にある。
【００４８】
このように、本実施形態においては、右扉パネル１３を閉じているときの右扉パネル１３と中央前面板１１の境界を、従来よりも左方（洗浄水タンク２２に近い方向）に持ってくることが可能であり、右扉パネル１３と中央前面板１１の境界位置の選択自由度が向上し、トイレキャビネット１の意匠の選択自由度、ひいてはトイレ室ＴＲ全体の意匠の選択自由度が向上する。また、右扉パネル１３を開いている時の右扉パネル１３の内面が右収納空間ＲＳの前面開口を遮らない位置に来るため、右収納空間ＲＳの利便性が向上する。
【００４９】
また、ヒンジ３８１は、右扉パネル１３が取付面３５２に対して１８０度以上回転しないように規制するストッパーを内蔵している。なお、本実施形態では、ヒンジ３８１が内蔵するストッパーが取付面３５２に対する右扉パネル１３の最大開き角度を１８０度として説明を行うが、ストッパーが規制する所定角としての最大開き角度は１８０度に限るものではなく様々な角度を採用できる。例えば、この最大開き角度は、１８０度を超える１８５度としてもよいし、１８０度以下の任意の角度としてもよい。そして、取付面３５２は、上述したように、後方から前方に向かって洗浄水タンク２２から遠ざかるように傾斜している。これにより、右扉パネル１３は、全開状態において後方から前方に向かって洗浄水タンク２２から遠ざかる方向に傾斜した状態となる。
【００５０】
このため、本実施形態に係るトイレキャビネット１においては、右扉パネル１３の最大開き角度を、取付面３５２に対するヒンジ３８１の最大開き角度と、取付面３５２の傾斜角度の少なくとも２つのパラメータの調整で規制可能であり、ヒンジ３８１の位置を左右方向において右側面板３２の主面よりも左方（洗浄水タンク２２寄りの位置）に設けて、ヒンジ３８１と便器２０とを前後重複する位置関係としたとしても、取付面３５２に対する右扉パネル１３の最大開き角度と取付面３５２の傾斜角度とを適宜に選択することで、便器２０と右扉パネル１３とが衝突しない構造を容易に実現できる。これにより、右扉パネル１３の設置に係る自由度が向上する。すなわち、右扉パネル１３を開いたときに右扉パネル１３が便器２０に衝突しないように調整しつつも、右収納空間ＲＳを可能な限り左方（洗浄水タンク２２の方向）へ拡大したり右収納空間ＲＳの前面開口を広く確保したりすることが可能となる。
【００５１】
また、ヒンジ３８１は、右扉パネル１３の開閉動作を緩和させるダンパーを内蔵している。ダンパーで右扉パネル１３の開閉動作の速度を緩和させることにより、右扉パネル１３が勢いよく閉まるのを和らげることができる。なお、本実施形態においては右扉パネル１３の開閉軸を従来よりも左方（洗浄水タンク２２寄りの位置）に設置可能となるため、ヒンジ３８１とは別途に右扉パネル１３の開閉動作を緩和させるダンパーを右側面板３２と右扉パネル１３の間に設けてもよい。この場合、ダンパーを内蔵しないヒンジ３８１を使用可能となり、ヒンジ３８１のサイズが小さいままで右扉パネル１３の開閉動作速度を緩和させることができる。
【００５２】
また、右側面板３２を含むコアキャビネット３は、金属の塑性変形を利用した加工（板金の折り曲げ加工等）により形成してある。従って、新たな部材を設けることなく、同加工によって右側面板３２の前端に洗浄水タンク２２の前面側へ回り込む部分を容易に形成できる。これにより、上述したようにヒンジ３８１を右側面板３２の主面よりも左方（洗浄水タンク２２寄りの位置）へシフトさせて右扉パネル１３を開いたときに右側面板３２と右扉パネル１３の間に隙間ができた場合にも、右側面板３２の前端を洗浄水タンク２２の前面側へ回り込むように屈曲形成した目隠し部により、開いた右扉パネル１３と右側面板３２との間から洗浄水タンク２２が露見することを防止できる。これにより、トイレキャビネット１の意匠性の低下を防止し、ヒンジ３８１を設ける位置の自由度の低下を防止できる。
【００５３】
［取付部も同じ金属で形成可］
また、取付面３５２についても、右側面板３２の金属の塑性変形を利用した加工（板金の折り曲げ加工等）により形成してもよい。図８に示す右側面板３２と一体形成した取付面３５２の構造の一例では、右側面板３２の前端の矩形の一定範囲について、上端と下端を切断し、後端を右側面板３２の主面と接続状態で残しつつ矩形の一定範囲を左方（洗浄水タンク２２の方）に屈曲させて取付面３２５を形成してある。このように、右側面板３２の金属の塑性変形を利用した加工で作成する場合、取付面３５２を右側面板３２と一体形成して部品点数を少なくすることができる。
【００５４】
左目地材１４の裏側には、トイレキャビネット１の左縦フレーム５１が配設され、右目地材１５の裏側には、トイレキャビネット１の右縦フレーム５２が配設されている。すなわち、左縦フレーム５１の前方を左目地材１４が遮蔽し、右縦フレーム５２の前方を右目地材１５が遮蔽している。左縦フレーム５１は下端の固定部５１１をネジ等でトイレ室ＴＲの床Ｆに固定されており、右縦フレーム５２も下端の固定部５２１をネジ等でトイレ室ＴＲの床Ｆに固定されている。これにより、右縦フレーム５２及び左縦フレーム５１が床Ｆの上に立設状態に維持される。
【００５５】
左目地材１４の前方には左扉パネル１２が位置し、右目地材１５の前方には右扉パネル１３が位置している。左目地材１４は、その左端がトイレ室ＴＲの左側壁ＬＷに密着し、その右端が左扉パネル１２の左端１２１よりもやや右方まで延びるように配設されている。同様に、右目地材１５は、その右端がトイレ室ＴＲの右側壁ＲＷに密着し、その左端が右扉パネル１３の右端１３１よりもやや左方まで延びるように配設されている。
【００５６】
このため、左目地材１４は、閉じた状態の左扉パネル１２と、一定範囲が前後重複し、トイレキャビネット１の左収納空間ＬＳの前面開口の左縁部に隙間が生じないように左扉パネル１２が確実に遮蔽することができる。同様に、右目地材１５も、閉じた状態の右扉パネル１３と、一定範囲が前後重複し、トイレキャビネット１の右収納空間ＲＳの前面開口の右縁部に隙間が生じないように右扉パネル１３が確実に遮蔽することができる。
【００５７】
左収容空間ＬＳは、左縦フレーム５１の後方を左右に連通しており、右収納空間ＲＳは、右縦フレーム５２の後方を左右に連通している。すなわち、トイレキャビネット１の左端の構造材を構成する左縦フレーム５１が左収納空間ＬＳの左端を閉塞せず、左収納空間ＬＳが左縦フレーム５１の後方を通って左方向に拡張されている。同様に、トイレキャビネット１の右端の構造材を構成する右縦フレーム５２が右収納空間ＲＳの右端を閉塞せず、右収納空間ＲＳが右縦フレーム５２の後方を通って右方向に拡張されている。これにより、トイレキャビネット１の左収納空間ＬＳや右収納空間ＲＳの収容空間を広く確保でき、トイレ室ＴＲの空間の有効利用性が向上する。
【００５８】
左縦フレーム５１は、その上端から後方へ左縦フレーム５１の延びる方向と略直角方向に延びる左前後フレーム５３が連結されている。同様に、右縦フレーム５２は、その上端から後方へ右縦フレーム５２の延びる方向と略直角方向に延びる右前後フレーム５４が連結されている。
【００５９】
左前後フレーム５３及び右前後フレーム５４は、その後端がトイレ室ＴＲの後側壁ＢＷに当接している。このため、左縦フレーム５１の立設位置がトイレ室ＴＲの後側壁ＢＷから左前後フレーム５３の長さによって規定され、右縦フレーム５２の立設位置はトイレ室ＴＲの後側壁ＢＷから左前後フレーム５３の長さによって規定される。左前後フレーム５３はネジなどにより左側壁ＬＷに固定され、右前後フレーム５４もネジ等により右側壁ＲＷに固定される。
【００６０】
左縦フレーム５１の上端と右縦フレーム５２の上端は、左右方向に延びる横フレーム５５によって連結されている。これにより、左縦フレーム５１と右縦フレーム５２が一体化し、トイレキャビネット１の構造材の強度が向上する。横フレーム５５の前面側には上目地材１６が配設されている。本実施形態においては、この上目地材１６が第２目地材を構成する。
【００６１】
横フレーム５５は上目地材１６の背面側に位置しており、上目地材１６によってトイレ室ＴＲから遮蔽される。上目地材１６は、左目地材１４や右目地材１５と同一の材料又は外観がほぼ同一の材料で形成されており、前面が左目地材１４や右目地材１５と略同一面上にあり、左端が左目地材１４まで延び、右端が右目地材１５まで延びている。
【００６２】
左扉パネル１２及び右扉パネル１３は、閉じたときに上目地材１６の前面側に当接する。中央前面板１１も、上目地材１６の前面側に当接する。このため、左扉パネル１２、右扉パネル１３、及び中央前面板１１は、同一の材料又は外観がほぼ同一の材料で形成された上目地材１６、左目地材１４、右目地材１５によって上及び左右を囲われる。これにより、トイレキャビネット１前面の意匠的な統一感が実現される。
【００６３】
横フレーム５５は、その左右方向長さを伸縮するスライド機構を有している。図４に示す例では、横フレーム５５の左端付近に左スライド５５１を有し、右端付近に右スライド５５２を有している。
【００６４】
これにより、左縦フレーム５１及び右縦フレーム５２の立設位置をトイレ室ＴＲの左右幅に応じて様々に調整することができる。また、横フレーム５５の伸縮調整と、目地材をカットすることで行う左目地材１４と右目地材１５の幅調整とを組み合わせることにより、本実施形態に係るトイレキャビネット１を施工可能なトイレ室ＴＲの左右幅のバリエーションが更に広がる。
【００６５】
左縦フレーム５１と右縦フレーム５２の上には、上面板１０が略水平な状態で載置固定される。本実施形態においては、左前後フレーム５３、右前後フレーム５４及び横フレーム５５が左縦フレーム５１と右縦フレーム５２の上端と略同じ高さでフレーム５０を形成しているため、これら左前後フレーム５３、右前後フレーム５４及び横フレーム５５の上にも上面板１０が載置される。なお、上面板１０は、必要に応じてトイレ室ＴＲの後側壁ＢＷに固定されてもよく、例えば、上面板１０の下面に固定された固定部と、後側壁ＢＷに固定された固定部と、の間を回動軸を介して連結した蝶番部材で後側壁ＢＷに固定してもよい。この場合、トイレキャビネット１の上面において上面板１０が開閉自在となる。
【００６６】
なお、左縦フレーム５１の左側面は、下端から一定範囲に切欠５１２が設けられており、左側面下端部が右方にオフセットしている。これにより、トイレ室ＴＲの左側壁ＬＷの下部に巾木ＬＢが設けられている場合にも左縦フレーム５１を左側壁ＬＷに可能な限り寄せて配置することができる。同様に、右縦フレーム５２の右側面にも、下端から一定範囲に切欠５２２が設けられており、右側面下端部が左方にオフセットしている。これにより、トイレ室ＴＲの右側壁ＲＷの下部に巾木ＲＢが設けられている場合にも右縦フレーム５２を右側壁ＲＷに寄せて配置することができる。
【００６７】
以上説明した本実施形態に係るトイレキャビネット１によれば、ヒンジ３８１が取り付けられる取付面３５２が右側面板３２の主面よりも洗浄水タンク２２側へオフセットしているため、ヒンジ３８１が右収納空間ＲＳへ突出する突出量を低減又は突出しないようにすることができる。これにより、ヒンジ３８１が突出しない分、右収納空間ＲＳの有効に利用できる空間が拡大するとともに、右収納空間ＲＳへの物の出し入れ時にヒンジ３８１と物が干渉しにくく、トイレキャビネットの利便性が向上する。また、ヒンジ３８１の取付面３５２のオフセット量を適宜に調整することにより、右扉パネル１３と中央前面板１１との境界を自由に選択できるため、トイレキャビネット１の意匠選択の自由度が向上する。
【００６８】
また、右扉パネル１３が右収納空間ＲＳの前面開口を遮蔽しないため、右収納空間ＲＳの有効に利用できる空間が拡大するとともに、右収納空間ＲＳへの物の出し入れ時に右扉パネル１３と物が干渉しにくく、トイレキャビネット１の利便性が向上する。
【００６９】
また、右扉パネル１３の開く最大角度を、取付面３５２に対するヒンジ３８１の最大開き角度と取付面３５２の傾斜角度の少なくとも２つのパラメータの調整で規制可能であり、ヒンジ３８１位置を左右方向において右側面板３２よりも洗浄水タンク２２寄りの位置に設けてヒンジ３８１の位置と便器２０の位置を前後重複する位置関係とした場合にも、取付面３５２に対する右扉パネル１３の最大開き角度と取付面３５２の傾斜角度とを適宜に設定することで、便器２０と右扉パネル１３とが衝突しない構造を容易に実現することができる。
【００７０】
また、ダンパーを設けることにより右扉パネル１３が勢いよく閉まるのを防止できる。ダンパーは、ヒンジ３８１に内蔵してもよいし、ヒンジ３８１とは別途に設けてもよく、ヒンジ３８１とダンパーを別部材で構成した場合、ヒンジ３８１のサイズを拡大することなくダンパーを設けることができる。
【００７１】
また、右側面板３２を金属の塑性変形を利用して形成された板金によって構成することにより、右側面板３２の前端に、洗浄水タンク２２の前面側に回り込む部分を金属の折り曲げ形成によって容易に形成できる。すなわち、右扉パネル１３を開けたときに洗浄水タンク２２を見えにくくする目隠し部を、右側面板３２の前端に容易に設けることができる。これにより、ヒンジ３８１を右側面板３２の主面よりも左方（洗浄水タンク２２側）へシフトさせた場合に、開いた右扉パネル１３と右側面板３２の隙間から洗浄水タンク２２が露見しにくく、トイレキャビネット１の意匠性の低下を防止し、ヒンジ３８１を設ける位置の自由度の低下を防止できる。
【００７２】
なお、本発明は上述した実施形態に限られず、上述した実施形態の中で開示した各構成を相互に置換したり組み合わせを変更したりした構成、公知技術並びに上述した実施形態の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【符号の説明】
【００７３】
１…トイレキャビネット、２…トイレ装置、３…コアキャビネット、１０…上面板、１１…中央前面板、１２…左扉パネル、１３…右扉パネル、１４…左目地材、１５…右目地材、１６…上目地材、２０…洋式腰掛便器（便器）、２０ａ…上面、２１…便座装置、２２…洗浄水タンク、３１…左側面板、３２…右側面板、３３…枠部、３４…左前角部、３５…右前角部、３６…軸、３７…軸、３８…軸、３９…軸、５０…フレーム、５１…左縦フレーム、５２…右縦フレーム、５３…左前後フレーム、５４…右前後フレーム、５５…横フレーム、１２１…左端、１３１…右端、１３２…端部、１３３…端部、２０１…ボウル部、２１１…ケーシング、２１２…便座、２１３…便蓋、３２５…取付面、３５１…凹部、３５２…取付面、３８１…ヒンジ、３８１ａ…固定面、３８１ｂ…固定面、３９１…ヒンジ、５１１…固定部、５１２…切欠、５２１…固定部、５２２…切欠、５５１…左スライド、５５２…右スライド、ＢＷ…後側壁、Ｆ…床、ＬＢ…巾木、ＬＷ…左側壁、Ｐ１…軸位置、Ｐ２…軸位置、ＲＢ…巾木、ＲＷ…右側壁、ＴＲ…トイレ室
【図１】
2016189887.tif 000003
【図２】
2016189887.tif 000004
【図３】
2016189887.tif 000005
【図４】
2016189887.tif 000006
【図５】
2016189887.tif 000007
【図６】
2016189887.tif 000008
【図７】
2016189887.tif 000009
【図８】
2016189887.tif 000010
【図９】
2016189887.tif 000011
【図１０】
2016189887.tif 000012